(57)【要約】【課題】ジビエに適したトレーサビリティ情報を得る。【解決手段】システム１は、罠に捕獲された野生動物に付される個体識別標識と、前記罠への動物捕獲状態を検知してその検知時刻を含む捕獲検知情報を得る捕獲検知部と、前記捕獲検知情報を送信する送信部と、を有し、前記罠に設けられる罠用ユニット２１と、前記送信部により送信された前記捕獲検知情報を受け取って、前記罠に野生動物が捕獲されたと推認される旨の情報を配信する配信装置３２と、前記配信部により配信された情報をユーザに提供するユーザ端末４１と、前記個体識別標識に記録されている個体識別情報であって有効化された個体識別情報に関連づけて、当該野生動物に由来するジビエのトレーサビリティ情報であって前記検知時刻を含むトレーサビリティ情報をトレーサビリティ情報記憶部３７に記憶させるトレーサビリティ情報管理装置３３と、を備える。【選択図】図１
2018088030.tif 000002
【特許請求の範囲】
【請求項１】
罠に捕獲された野生動物に付される個体識別標識と、
前記罠に野生動物が捕獲されたと推認される状態を検知してその検知時刻を含む捕獲検知情報を得る捕獲検知部と、前記捕獲検知情報を送信する送信部と、を有し、前記罠に又は前記罠の付近に設けられる罠用ユニットと、
前記送信部により送信された前記捕獲検知情報を受け取って、前記罠に野生動物が捕獲されたと推認される旨の情報を配信する配信装置と、
前記配信部により配信された情報を第１のユーザに提供する第１のユーザ端末と、
トレーサビリティ情報記憶部を有し、前記個体識別標識に記録されている個体識別情報であって有効化された個体識別情報に関連づけて、当該野生動物に由来するジビエのトレーサビリティ情報であって前記検知時刻を含むトレーサビリティ情報を前記トレーサビリティ情報記憶部に記憶させるトレーサビリティ情報管理装置と、
前記第１のユーザと同一又は異なる第２のユーザの操作に応じて、有効化されるべき前記個体識別情報を前記トレーサビリティ情報管理部に通知する、前記第１のユーザ端末と同一又は異なる第２のユーザ端末と、
を備えたことを特徴とするジビエ用システム。
【請求項２】
前記トレーサビリティ情報管理装置は、前記第２のユーザ端末からの前記有効化されるべき前記個体識別情報の通知が所定の有効許可条件を満たす場合にのみ、前記第２のユーザ端末から通知される前記個体識別情報を有効にすることを特徴とする請求項１記載のジビエ用システム。
【請求項３】
前記トレーサビリティ情報管理装置は、予めユーザに配布された前記個体識別標識に記録されている個体識別情報、及び、前記個体識別標識が予め配布された先のユーザに関する配布先ユーザ情報を、互いに関連づけて記憶する配布情報記憶部を有し、有効にされた前記個体識別情報に関連づけて前記配布情報記憶部に記憶されている配布先ユーザ情報を、前記トレーサビリティ情報の一部とすることを特徴とする請求項１又は２記載のジビエ用システム。
【請求項４】
前記所定の有効許可条件は、当該個体識別情報が、前記配布情報記憶部に記憶されている個体識別情報であり、かつ、未だ有効にされていない個体識別情報であるという条件を含むことを特徴とする請求項３記載のジビエ用システム。
【請求項５】
前記第１及び第２のユーザのうちの一方又は双方のユーザと同一又は異なる第３のユーザの操作に応じて、前記個体識別標識に記録されている個体識別情報であって有効化された個体識別情報に関連づけて、前記トレーサビリティ情報の少なくとも一部を入力する、前記第１及び第２のユーザ端末のうちの一方又は双方のユーザ端末と同一又は異なる第３のユーザ端末を備え、
前記トレーサビリティ情報管理装置は、前記入力が所定の入力許可条件を満たす場合にのみ、前記入力された情報を当該個体識別情報に関連づけて前記トレーサビリティ情報記憶部に記憶させる、
ことを特徴とする請求項１乃至４のいずれかに記載のジビエ用システム。
【請求項６】
前記罠用ユニットは、前記罠の位置を検出して位置情報を得る位置検出部を有し、
前記送信部は、前記捕獲検知情報及び前記位置情報を送信し、
前記配信装置は、前記送信部により送信された前記捕獲検知情報及び前記位置情報を受け取って、前記罠に野生動物が捕獲されたと推認される旨の情報及び前記位置情報を配信し、
前記トレーサビリティ情報管理装置は、前記位置情報を前記トレーサビリティ情報の一部とする、
ことを特徴とする請求項１乃至５のいずれかに記載のジビエ用システム。
【請求項７】
前記トレーサビリティ情報管理装置は、前記罠の位置を示す位置情報を予め記憶する記憶部を有し、
前記トレーサビリティ情報管理装置は、前記位置情報を前記トレーサビリティ情報の一部とする、
ことを特徴とする請求項１乃至５のいずれかに記載のジビエ用システム。
【請求項８】
前記配信装置及び前記トレーサビリティ情報管理装置が同じサーバで構成されたことを特徴とする請求項１乃至７のいずれかに記載のジビエ用システム。
【請求項９】
前記トレーサビリティ情報は、前記罠に捕獲されて生きている状態の前記野生動物が撮影された第１の画像情報、及び、前記第１の画像情報の撮影時刻情報及び／又は撮影位置情報を含むことを特徴とする請求項１乃至８のいずれかに記載のジビエ用システム。
【請求項１０】
前記トレーサビリティ情報は、前記罠に捕獲されて止め刺しされた後の前記野生動物が撮影された第２の画像情報、及び、前記第２の画像情報の撮影時刻情報及び／又は撮影位置情報を含むことを特徴とする請求項１乃至９のいずれかに記載のジビエ用システム。
【請求項１１】
前記トレーサビリティ情報は、前記野生動物の血抜き終了の時刻情報及び／又は場所情報を含むことを特徴とする請求項１乃至１０のいずれかに記載のジビエ用システム。
【請求項１２】
前記トレーサビリティ情報は、前記野生動物に対して処理・加工を行う処理加工施設への搬入時における当該施設の入口及び前記野生動物が撮影された第３の画像、及び、前記第３の画像情報の撮影時刻情報及び／又は撮影位置情報を含むことを特徴とする請求項１乃至１１のいずれかに記載のジビエ用システム。
【請求項１３】
捕獲された野生動物に付される個体識別標識と、
トレーサビリティ情報記憶部を有し、前記個体識別標識に記録されている個体識別情報であって有効化された個体識別情報に関連づけて、当該野生動物に由来するジビエのトレーサビリティ情報を前記トレーサビリティ情報記憶部に記憶させるトレーサビリティ情報管理装置と、
第１のユーザの操作に応じて、有効化されるべき前記個体識別情報を前記トレーサビリティ情報管理装置に通知する第１のユーザ端末と、
を備えたことを特徴とするジビエ用システム。
【請求項１４】
前記トレーサビリティ情報管理装置は、前記第１のユーザ端末からの前記有効化されるべき前記個体識別情報の通知が所定の有効許可条件を満たす場合にのみ、前記第１のユーザ端末から通知される前記個体識別情報を有効にすることを特徴とする請求項１３記載のジビエ用システム。
【請求項１５】
前記トレーサビリティ情報管理装置は、予めユーザに配布された前記個体識別標識に記録されている個体識別情報、及び、前記個体識別標識が予め配布された先のユーザに関する配布先ユーザ情報を、互いに関連づけて記憶する配布情報記憶部を有し、有効にされた前記個体識別情報に関連づけて前記配布情報記憶部に記憶されている配布先ユーザ情報を、前記トレーサビリティ情報の一部とすることを特徴とする請求項１３又は１４記載のジビエ用システム。
【請求項１６】
前記所定の有効許可条件は、当該個体識別情報が、前記配布情報記憶部に記憶されている個体識別情報であり、かつ、未だ有効にされていない個体識別情報であるという条件を含むことを特徴とする請求項１５記載のジビエ用システム。
【請求項１７】
前記第１のユーザと同一又は異なる第２のユーザの操作に応じて、前記個体識別標識に記録されている個体識別情報であって有効化された個体識別情報に関連づけて、前記トレーサビリティ情報の少なくとも一部を入力する、前記第１のユーザ端末と同一又は異なる第２のユーザ端末を備え、
前記トレーサビリティ情報管理装置は、前記入力が所定の入力許可条件を満たす場合にのみ、前記入力された情報を当該個体識別情報に関連づけて前記トレーサビリティ情報記憶部に記憶させる、
ことを特徴とする請求項１３乃至１６のいずれかに記載のジビエ用システム。
【請求項１８】
前記トレーサビリティ情報管理装置は、前記個体識別情報に関連づけられた前記トレーサビリティ情報の要求に対して、当該トレーサビリティ情報を提供することを特徴とする請求項１乃至１７のいずれかに記載のジビエ用システム。
【請求項１９】
トレーサビリティ情報記憶部と、
捕獲された野生動物に付される個体識別標識に記録されている個体識別情報であって有効化された個体識別情報に関連づけて、当該野生動物に由来するジビエのトレーサビリティ情報を前記トレーサビリティ情報記憶部に記憶させる手段と、
有効化されるべき前記個体識別情報をユーザの操作に応じて通知するユーザ端末からの前記通知を受けて、前記通知が所定条件を満たす場合に、前記ユーザ端末から通知される前記個体識別情報を有効にする手段と、
を備えたことを特徴とするジビエ用トレーサビリティ情報管理装置。
【請求項２０】
前記野生動物は、罠に捕獲された野生動物であり、
前記トレーサビリティ情報は、前記罠に野生動物が捕獲されたと推認される状態を検知してその検知時刻を含む捕獲検知情報を得る捕獲検知部からの、前記検知時刻を含むことを特徴とする請求項１９記載のジビエ用トレーサビリティ情報管理装置。
【請求項２１】
コンピュータを、請求項２１又は２０記載のジビエ用トレーサビリティ情報管理装置として機能させるためのプログラム。
【請求項２２】
トレーサビリティ情報記憶部を有するジビエ用トレーサビリティ情報管理装置であって、捕獲された野生動物に付される個体識別標識に記録されている個体識別情報であって有効化された個体識別情報に関連づけて、当該野生動物に由来するジビエのトレーサビリティ情報を前記トレーサビリティ情報記憶部に記憶させるジビエ用トレーサビリティ情報管理装置に、ユーザの操作に応じて、有効化されるべき前記個体識別情報を通知することを特徴とするユーザ端末。
【請求項２３】
携帯端末を請求項２２記載のユーザ端末として機能させるために、前記携帯端末に実行させるためのアプリケーションプログラム。
【発明の詳細な説明】
【技術分野】
【０００１】
本発明は、ジビエ用システム、ジビエ用トレーサビリティ情報管理装置、プログラム、ユーザ端末及びアプリケーションプログラムに関するものである。
【背景技術】
【０００２】
従来から、箱罠や括り罠等の罠にイノシシやシカ等の野生動物が捕獲されたことを検知し、その検知に基づいて当該罠に野生動物が捕獲された旨を電子メール等でユーザに知らせるシステムが提案されている（例えば、下記特許文献１）。
【０００３】
このシステムを用いれば、罠に捕獲された野生動物を早期に回収することができるため、野生動物を長時間に渡って苦しめることがなくなるとともに、高い品質のジビエ（狩猟で得た天然の野生鳥獣の食肉）を得ることが可能となる。
【０００４】
近年、鳥獣被害の拡大に伴って、捕らえた野生動物をジビエとして利用することが推進されている。
【０００５】
ところで、畜産に係る牛については、「牛の個体識別のための情報の管理及び伝達に関する特別処置法」（いわゆる、牛トレーサビリティ法）の公布を受け、近年、個体識別コードによって一元的に牛を管理し、牛肉の生産履歴などのトレーサビリティ情報を消費者に提供するトレーサビリティシステムがほぼ確立されている。
【先行技術文献】
【特許文献】
【０００６】
【特許文献１】特許第４２６７２６８号公報
【発明の概要】
【発明が解決しようとする課題】
【０００７】
しかしながら、家畜ではない捕らえた野生動物に由来するジビエについては、トレーサビリティシステムは導入されていない。
【０００８】
本発明は、このような事情に鑑みてなされたもので、ジビエに適したトレーサビリティ情報を得ることができるジビエ用システム、このようなジビエ用システムにおいて用いることができるジビエトレーサビリティ情報管理装置、コンピュータをこのようなジビエトレーサビリティ情報管理装置として機能させるためのプログラム、前述したようなジビエ用システムにおいて用いることができるユーザ端末、及び、携帯端末をこのようなユーザ端末として機能させるためのアプリケーションプログラムを提供することを目的とする。
【課題を解決するための手段】
【０００９】
前記課題を解決するための手段として、以下の各態様を提示する。第１の態様によるジビエ用システムは、罠に捕獲された野生動物に付される個体識別標識と、前記罠に野生動物が捕獲されたと推認される状態を検知してその検知時刻を含む捕獲検知情報を得る捕獲検知部と、前記捕獲検知情報を送信する送信部と、を有し、前記罠に又は前記罠の付近に設けられる罠用ユニットと、前記送信部により送信された前記捕獲検知情報を受け取って、前記罠に野生動物が捕獲されたと推認される旨の情報を配信する配信装置と、前記配信部により配信された情報を第１のユーザに提供する第１のユーザ端末と、トレーサビリティ情報記憶部を有し、前記個体識別標識に記録されている個体識別情報であって有効化された個体識別情報に関連づけて、当該野生動物に由来するジビエのトレーサビリティ情報であって前記検知時刻を含むトレーサビリティ情報を前記トレーサビリティ情報記憶部に記憶させるトレーサビリティ情報管理装置と、前記第１のユーザと同一又は異なる第２のユーザの操作に応じて、有効化されるべき前記個体識別情報を前記トレーサビリティ情報管理部に通知する、前記第１のユーザ端末と同一又は異なる第２のユーザ端末と、を備えたものである。
【００１０】
この第１の態様によれば、罠に捕獲された野生動物に付される個体識別標識が用いられ、前記トレーサビリティ情報管理装置が、前記個体識別標識に記録されている個体識別情報であって有効化された個体識別情報に関連づけて、当該野生動物に由来するジビエのトレーサビリティ情報を前記トレーサビリティ情報記憶部に記憶させ、前記第２のユーザ端末が、前記第２のユーザの操作に応じて、有効化されるべき前記個体識別情報を前記トレーサビリティ情報管理部に通知するので、ジビエに適した信頼性の高いトレーサビリティ情報を得ることができる。
【００１１】
また、前記第１の態様によれば、罠に捕獲された野生動物に付される個体識別標識と、前記罠に野生動物が捕獲されたと推認される状態を検知してその検知時刻を含む捕獲検知情報を得る捕獲検知部と、前記捕獲検知情報を送信する送信部と、を有し、前記罠に又は前記罠の付近に設けられる罠用ユニットと、前記送信部により送信された前記捕獲検知情報を受け取って、前記罠に野生動物が捕獲されたと推認される旨の情報を配信する配信装置と、前記配信部により配信された情報を第１のユーザに提供する第１のユーザ端末とを備えているので、罠に捕獲された野生動物を早期に回収することができるため、野生動物を長時間に渡って苦しめることがなくなるとともに、高い品質のジビエを得ることが可能となる。
【００１２】
罠に捕獲された野生動物に由来するジビエの場合、野生動物が罠に捕獲された時点から止め刺しや血抜きなどの各処理が施されるまでの経過時間が短いほど得られたジビエの品質が高くなり、その経過時間はジビエの品質に大きく影響することから、野生動物が罠に捕獲された時点を示す情報は、ジビエに適した信頼性の高いトレーサビリティ情報として価値が高い。前記第１の態様によれば、前記トレーサビリティ情報として、野生動物が罠に捕獲された時点を示すことになる前記検知時刻を含んでいるので、より信頼性の高いトレーサビリティ情報を得ることができる。
【００１３】
第２の態様によるジビエ用システムは、前記第１の態様において、前記トレーサビリティ情報管理装置は、前記第２のユーザ端末からの前記有効化されるべき前記個体識別情報の通知が所定の有効許可条件を満たす場合にのみ、前記第２のユーザ端末から通知される前記個体識別情報を有効にするものである。
【００１４】
この第２の態様によれば、より信頼性の高いトレーサビリティ情報を得ることができる。
【００１５】
第３の態様によるジビエ用システムは、前記第１又は第２の態様において、前記トレーサビリティ情報管理装置は、予めユーザに配布された前記個体識別標識に記録されている個体識別情報、及び、前記個体識別標識が予め配布された先のユーザに関する配布先ユーザ情報を、互いに関連づけて記憶する配布情報記憶部を有し、有効にされた前記個体識別情報に関連づけて前記配布情報記憶部に記憶されている配布先ユーザ情報を、前記トレーサビリティ情報の一部とするものである。
【００１６】
この第３の態様によれば、前記配布先ユーザ情報を前記トレーサビリティ情報の一部とするので、より信頼性の高いトレーサビリティ情報を得ることができる。
【００１７】
第４の態様によるジビエ用システムは、前記第３の態様において、前記所定の有効許可条件は、当該個体識別情報が、前記配布情報記憶部に記憶されている個体識別情報であり、かつ、未だ有効にされていない個体識別情報であるという条件を含むものである。
【００１８】
この第４の態様は、前記所定の有効許可条件の例を挙げたものであるが、前記第３の態様ではこの例に限らない。
【００１９】
第５の態様によるジビエ用システムは、前記第１乃至第４のいずれかの態様において、前記第１及び第２のユーザのうちの一方又は双方のユーザと同一又は異なる第３のユーザの操作に応じて、前記個体識別標識に記録されている個体識別情報であって有効化された個体識別情報に関連づけて、前記トレーサビリティ情報の少なくとも一部を入力する、前記第１及び第２のユーザ端末のうちの一方又は双方のユーザ端末と同一又は異なる第３のユーザ端末を備え、前記トレーサビリティ情報管理装置は、前記入力が所定の入力許可条件を満たす場合にのみ、前記入力された情報を当該個体識別情報に関連づけて前記トレーサビリティ情報記憶部に記憶させるものである。
【００２０】
この第５の態様によれば、前記所定の入力許可条件を設けているので、トレーサビリティ情報の信頼性をより高めることができる。
【００２１】
なお、前記所定の入力許可条件としては、例えば、入力するユーザが予め登録されたユーザであることが認証されることなどを挙げることができる。
【００２２】
第６の態様によるジビエ用システムは、前記第１乃至第５のいずれかの態様において、前記罠用ユニットは、前記罠の位置を検出して位置情報を得る位置検出部を有し、前記送信部は、前記捕獲検知情報及び前記位置情報を送信し、前記配信装置は、前記送信部により送信された前記捕獲検知情報及び前記位置情報を受け取って、前記罠に野生動物が捕獲されたと推認される旨の情報及び前記位置情報を配信し、前記トレーサビリティ情報管理装置は、前記位置情報を前記トレーサビリティ情報の一部とするものである。
【００２３】
この第６の態様によれば、罠の位置情報もトレーサビリティ情報の一部にされるので、ジビエにより適したトレーサビリティ情報を得ることができる。
【００２４】
第７の態様によるジビエ用システムは、前記第１乃至第５のいずれかの態様において、前記トレーサビリティ情報管理装置は、前記罠の位置を示す位置情報を予め記憶する記憶部を有し、前記トレーサビリティ情報管理装置は、前記位置情報を前記トレーサビリティ情報の一部とするものである。
【００２５】
この第７の態様によれば、罠の位置情報もトレーサビリティ情報の一部にされるので、ジビエにより適したトレーサビリティ情報を得ることができる。
【００２６】
第８の態様によるジビエ用システムは、前記第１乃至第７のいずれかの態様において、前記配信装置及び前記トレーサビリティ情報管理装置が同じサーバで構成されたものである。
【００２７】
この第８の態様によれば、前記配信装置及び前記トレーサビリティ情報管理装置が同じサーバで構成されているので、経済的である。もっとも、前記第１乃至第７の態様では、両者を別のサーバ等で構成してもよい。
【００２８】
第９の態様によるジビエ用システムは、前記第１乃至第８のいずれかの態様において、前記トレーサビリティ情報は、前記罠に捕獲されて生きている状態の前記野生動物が撮影された第１の画像情報、及び、前記第１の画像情報の撮影時刻情報及び／又は撮影位置情報を含むものである。
【００２９】
この第９の態様によれば、ジビエに適したより信頼性の高いトレーサビリティ情報を得ることができる。
【００３０】
第１０の態様によるジビエ用システムは、前記第１乃至第９のいずれかの態様において、前記トレーサビリティ情報は、前記罠に捕獲されて止め刺しされた後の前記野生動物が撮影された第２の画像情報、及び、前記第２の画像情報の撮影時刻情報及び／又は撮影位置情報を含むものである。
【００３１】
この第１０の態様によれば、ジビエに適したより信頼性の高いトレーサビリティ情報を得ることができる。
【００３２】
第１１の態様によるジビエ用システムは、前記第１乃至第１０のいずれかの態様において、前記トレーサビリティ情報は、前記野生動物の血抜き終了の時刻情報及び／又は場所情報を含むものである。
【００３３】
この第１１の態様によれば、ジビエに適したより信頼性の高いトレーサビリティ情報を得ることができる。
【００３４】
第１２の態様によるジビエ用システムは、前記第１乃至第１１のいずれかの態様において、前記トレーサビリティ情報は、前記野生動物に対して処理・加工を行う処理加工施設への搬入時における当該施設の入口及び前記野生動物が撮影された第３の画像、及び、前記第３の画像情報の撮影時刻情報及び／又は撮影位置情報を含むものである。
【００３５】
この第１２の態様によれば、ジビエに適したより信頼性の高いトレーサビリティ情報を得ることができる。
【００３６】
第１３の態様によるジビエ用システムは、捕獲された野生動物に付される個体識別標識と、トレーサビリティ情報記憶部を有し、前記個体識別標識に記録されている個体識別情報であって有効化された個体識別情報に関連づけて、当該野生動物に由来するジビエのトレーサビリティ情報を前記トレーサビリティ情報記憶部に記憶させるトレーサビリティ情報管理装置と、第１のユーザの操作に応じて、有効化されるべき前記個体識別情報を前記トレーサビリティ情報管理装置に通知する第１のユーザ端末と、を備えたものである。
【００３７】
前記捕獲された野生動物は、罠に捕獲された野生動物に限らず、他の方法で捕獲された野生動物も含む。
【００３８】
この第１３の態様によれば、捕獲された野生動物に付される個体識別標識が用いられ、前記トレーサビリティ情報管理装置が、前記個体識別標識に記録されている個体識別情報であって有効化された個体識別情報に関連づけて、当該野生動物に由来するジビエのトレーサビリティ情報を前記トレーサビリティ情報記憶部に記憶させ、前記第２のユーザ端末が、前記第２のユーザの操作に応じて、有効化されるべき前記個体識別情報を前記トレーサビリティ情報管理部に通知するので、ジビエに適した信頼性の高いトレーサビリティ情報を得ることができる。
【００３９】
第１４の態様によるジビエ用システムは、前記第１３の態様において、前記トレーサビリティ情報管理装置は、前記第１のユーザ端末からの前記有効化されるべき前記個体識別情報の通知が所定の有効許可条件を満たす場合にのみ、前記第１のユーザ端末から通知される前記個体識別情報を有効にするものである。
【００４０】
この第１４の態様によれば、より信頼性の高いトレーサビリティ情報を得ることができる。
【００４１】
第１５の態様によるジビエ用システムは、前記第１３又は第１４の態様において、前記トレーサビリティ情報管理装置は、予めユーザに配布された前記個体識別標識に記録されている個体識別情報、及び、前記個体識別標識が予め配布された先のユーザに関する配布先ユーザ情報を、互いに関連づけて記憶する配布情報記憶部を有し、有効にされた前記個体識別情報に関連づけて前記配布情報記憶部に記憶されている配布先ユーザ情報を、前記トレーサビリティ情報の一部とするものである。
【００４２】
この第１５の態様によれば、前記配布先ユーザ情報を前記トレーサビリティ情報の一部とするので、より信頼性の高いトレーサビリティ情報を得ることができる。
【００４３】
第１６の態様によるジビエ用システムは、前記第１５の態様において、前記所定の有効許可条件は、当該個体識別情報が、前記配布情報記憶部に記憶されている個体識別情報であり、かつ、未だ有効にされていない個体識別情報であるという条件を含むものである。
【００４４】
この第１６の態様は、前記所定の有効許可条件の例を挙げたものであるが、前記第１５の態様ではこの例に限らない。
【００４５】
第１７の態様によるジビエ用システムは、前記第１３乃至第１６のいずれかの態様において、前記第１のユーザと同一又は異なる第２のユーザの操作に応じて、前記個体識別標識に記録されている個体識別情報であって有効化された個体識別情報に関連づけて、前記トレーサビリティ情報の少なくとも一部を入力する、前記第１のユーザ端末と同一又は異なる第２のユーザ端末を備え、前記トレーサビリティ情報管理装置は、前記入力が所定の入力許可条件を満たす場合にのみ、前記入力された情報を当該個体識別情報に関連づけて前記トレーサビリティ情報記憶部に記憶させるものである。
【００４６】
この第１７の態様によれば、前記所定の入力許可条件を設けているので、トレーサビリティ情報の信頼性をより高めることができる。
【００４７】
第１８の態様によるジビエ用システムは、前記第１乃至第１７のいずれかの態様において、前記トレーサビリティ情報管理装置は、前記個体識別情報に関連づけられた前記トレーサビリティ情報の要求に対して、当該トレーサビリティ情報を提供するものである。
【００４８】
具体的には、例えば、前記トレーサビリティ情報が完成した最後の段階で、処理加工施設の作業員がパーソナルコンピュータ等の端末で、前記個体識別情報に関連づけられた前記トレーサビリティ情報を要求して、そのトレーサビリティ情報を受け取って確認したり、受け取ったトレーサビリティ情報に対応する個体識別情報を記録内容とする２次元バーコード等のコードをプリンタでラベルに印刷し、そのラベルをジビエのパックに付着してもよい。この場合、例えば、消費者や外食産業への卸売業者が、トレーサビリティ情報取得用のアプリケーションプログラムを実行させた携帯端末で、前記ラベルのコードを読み取ると、当該携帯端末が、読み取られたコードが示す個体識別情報に関連づけられた前記トレーサビリティ情報の要求を前記トレーサビリティ情報管理装置に発し、その要求に対して前記トレーサビリティ情報管理装置から提供されてきたトレーサビリティ情報をユーザに表示するようにしてもよい。
【００４９】
また、受け取ったトレーサビリティ情報に対応する個体識別情報を記録内容とする２次元バーコード等のコードをプリンタでラベルに印刷する代わりに、受け取ったトレーサビリティ情報自体を記録内容とする２次元バーコード等のコードをプリンタでラベルに印刷し、そのラベルをジビエのパックに付着してもよい。この場合、例えば、消費者や外食産業への卸売業者が、トレーサビリティ情報取得用のアプリケーションプログラムを実行させた携帯端末で、前記ラベルのコードを読み取ると、当該携帯端末が、読み取られたコードが示すトレーサビリティ情報をユーザに表示するようにしてもよい。
【００５０】
なお、前記要求は、トレーサビリティ情報の管理者からの要求であってもよいし、ジビエの消費者からの要求であってもよいし、外食産業への卸売業者などから要求であってもよい。前記要求主体の種別によっては、互いに一部異なるトレーサビリティ情報を提供するようにしてもよい。例えば、止め刺しされた後の前記野生動物が撮影された画像は、管理者からの要求に対しては提供する一方で、消費者からの要求に対しては提供しなくてもよい。
【００５１】
第１９の態様によるジビエ用トレーサビリティ情報管理装置は、トレーサビリティ情報記憶部と、捕獲された野生動物に付される個体識別標識に記録されている個体識別情報であって有効化された個体識別情報に関連づけて、当該野生動物に由来するジビエのトレーサビリティ情報を前記トレーサビリティ情報記憶部に記憶させる手段と、有効化されるべき前記個体識別情報をユーザの操作に応じて通知するユーザ端末からの前記通知を受けて、前記通知が所定条件を満たす場合に、前記ユーザ端末から通知される前記個体識別情報を有効にする手段と、を備えたものである。
【００５２】
この第１９の態様によるジビエ用トレーサビリティ情報管理装置は、前述したようなジビエ用システムにおいて用いることができる。
【００５３】
第２０の態様によるジビエ用トレーサビリティ情報管理装置は、前記第１９の態様において、前記野生動物は、罠に捕獲された野生動物であり、前記トレーサビリティ情報は、前記罠に野生動物が捕獲されたと推認される状態を検知してその検知時刻を含む捕獲検知情報を得る捕獲検知部からの、前記検知時刻を含むものである。
【００５４】
この第２０の態様によれば、前記トレーサビリティ情報が前記検知時刻を含むので、より信頼性の高いトレーサビリティ情報を得ることができる。
【００５５】
第２１の態様によるプログラムは、コンピュータを、前記第２１又は第２２の態様によるジビエ用トレーサビリティ情報管理装置として機能させるためのプログラムである。
【００５６】
第２２の態様によるユーザ端末は、トレーサビリティ情報記憶部を有するジビエ用トレーサビリティ情報管理装置であって、捕獲された野生動物に付される個体識別標識に記録されている個体識別情報であって有効化された個体識別情報に関連づけて、当該野生動物に由来するジビエのトレーサビリティ情報を前記トレーサビリティ情報記憶部に記憶させるジビエ用トレーサビリティ情報管理装置に、ユーザの操作に応じて、有効化されるべき前記個体識別情報を通知するものである。
【００５７】
この第２２の態様によるユーザ端末は、前述したようなジビエ用システムにおいて用いることができる。
【００５８】
第２３の態様によるアプリケーションプログラムは、携帯端末を前記第２２の態様によるユーザ端末として機能させるために、前記携帯端末に実行させるためのアプリケーションプログラムである。
【００５９】
なお、本願明細書において、「及び／又は」は、両方又はいずれか一方の意味である。
【発明の効果】
【００６０】
本発明によれば、ジビエに適したトレーサビリティ情報を得ることができるジビエ用システム、このようなジビエ用システムにおいて用いることができるジビエトレーサビリティ情報管理装置、コンピュータをこのようなジビエトレーサビリティ情報管理装置として機能させるためのプログラム、前述したようなジビエ用システムにおいて用いることができるユーザ端末、及び、携帯端末をこのようなユーザ端末として機能させるためのアプリケーションプログラムを提供することができる。
【図面の簡単な説明】
【００６１】
【図１】本発明の一実施の形態によるジビエ用システムを、個体識別標識を除いて模式的に示す概略構成図である。
【図２】図１中の罠に取り付けられた子機を示す概略ブロック図である。
【図３】図１中のサーバを示す概略ブロック図である。
【図４】本発明の一実施の形態によるジビエ用システムで用いられる個体識別標識の使用状態を模式的に示す概略図である。
【発明を実施するための形態】
【００６２】
以下、本発明によるジビエ用システム、ジビエ用トレーサビリティ情報管理装置、プログラム、ユーザ端末及びアプリケーションプログラムについて、図面を参照して説明する。
【００６３】
図１は、本発明の一実施の形態によるジビエ用システム１を、個体識別標識１１（図４参照）を除いて模式的に示す概略構成図である。図２は、図１中の罠１００に取り付けられた子機２１を示す概略ブロック図である。図３は、図１中のサーバ３１を示す概略ブロック図である。図４は、本実施の形態によるジビエ用システム１で用いられる個体識別標識１１の使用状態を模式的に示す概略図である。
【００６４】
本発明の一実施の形態によるジビエ用システム１は、罠１００に捕獲された野生動物１０１に付される個体識別標識１１と、罠１００に又は罠１００の付近に罠１００に対して１対１に設けられる罠用ユニットとしての子機２１と、配信装置３２及びトレーサビリティ情報管理装置３３を構成するサーバ３１と、ユーザ端末としての携帯端末（本実施の形態では、携帯情報端末としてのスマートフォン）４１〜４４と、ユーザ端末としてのパーソナルコンピュータ４５と、パーソナルコンピュータ４５に接続されたプリンタ４６と、管理用端末としてのパーソナルコンピュータ４７と、を備えている。
【００６５】
それらの間が、携帯端末４１〜４４用の基地局５１ａ及び子機２１用の基地局となる親機５１ｂ並びにインターネット等を含むネットワーク５１を介して接続されるようになっている。携帯端末４１〜４４と基地局５１ａとの間で携帯電話事業者による通常の携帯端末用無線通信が行われ、携帯端末４１〜４４とサーバ３１との間が、基地局５１ａを経由したネットワーク５１を介して接続されるようになっている。本実施の形態では、子機２１及び親機５１ｂがＬＰＷＡ（Low Power, Wide Area）用として構成され、子機２１と親機５１ｂとの間でＬＰＷＡ（Low Power, Wide Area）による通信が行われ、子機２１とサーバ３１との間が、親機５１ｂを経由したネットワーク５１を介して接続されるようになっている。ＬＰＷＡでは、回線コストが低い、子機２１と親機５１ｂとの間の距離を長距離にすることができる、子機２１の消費電力を著しく低減できるためバッテリの持ちが非常に良いなどの利点が得られるため、子機２１及び親機５１ｂはＬＰＷＡ（Low Power, Wide Area）用として構成することが好ましい。もっとも、本発明ではこれに限らない。親機５１ｂの数を増やせば通信可能エリアを拡大することができるが、本発明では親機５１ｂの数は１つでもよい。また、パーソナルコンピュータ４５，４７とサーバ３１との間が、ネットワーク５１を介して接続されるようになっている。
【００６６】
なお、子機２１と親機５１ｂとの間の通信を定期的に行い、子機２１がバッテリ切れ等が生じていないを確認するようにしてもよい。
【００６７】
罠１００は、捕獲対象の野生動物１０１を例えばイノシシやシカとするように構成され、例えば、公知の箱罠や括り罠を用いることができる。箱罠の例が、前記特許文献１（特許第４２６７２６８号公報）や特開２０１５−１５９７４７号公報に記載されている。括り罠の例が、特開２０１５−１５９７４７号公報や実用新案登録第３１８７０５９号公報に記載されている。もっとも、罠１００はこれらに限らない。なお、罠１００は、図面では簡略化して単に矩形で示している。
【００６８】
本実施の形態では、子機（罠用ユニット）１００は、図２に示すように、ＬＰＷＡの無線通信による送受信を行う通信部２２と、罠１００に野生動物１０１が捕獲されたときにそれに応じた出力信号を出力するセンサ２３と、センサ２３に出力信号に基づいて罠１００に野生動物１０１が捕獲されたと推認される状態か否かを判定し、当該状態の場合に検知信号を出力する検知回路２４と、計時機能（時計機能）を有し現在時刻情報を出力する計時部２５と、罠１００の位置を検出して位置情報を得る位置検出部としてのＧＰＳ受信機２６と、これらの全体を制御する制御部２７と、を有している。
【００６９】
センサ２３としては、例えば、箱罠及び括り罠に対する加速度センサなどの振動検出センサや、箱罠に対する入口扉（シャッタ）が閉じたことを検出するセンサや、箱罠に対する圧力センサマットなどを挙げることができるが、これに限らない。なお、センサ２３は、必要に応じて、子機（罠用ユニット）１００の大部分の要素を収容する筐体の外部に配置してもよい。
【００７０】
制御部２７は、検知回路２４から検知信号が出力されたときに、計時部２５からのその時点での現在時刻情報を、罠１００に野生動物１０１が捕獲されたと推認される状態の検知時刻として、当該状態を検知した旨の情報と併せた捕獲検知情報として、通信部２２にサーバ３１宛てに送信させる。本実施の形態では、制御部２７のこの機能、センサ２３、検知回路２４及び計時部２５が、罠１００に野生動物１０１が捕獲されたと推認される状態を検知してその検知時刻を含む捕獲検知情報を得る捕獲検知部を構成している。
【００７１】
サーバ３１は、コンピュータで構成され、ＣＰＵ３４と、ＲＯＭ３５と、ＲＡＭ３６と、ハードディスク等の記憶装置３７と、ネットワーク５１等と接続するための通信インターフェース３８と、これらを相互に接続するバス３９とを備えている。記憶装置３７には、所定のプログラムが予めインストールされており、当該プログラムを読み込んで実行することによって、前記ＣＰＵ３４等により以下に説明する機能等が実現されるようになっている。
【００７２】
管理者は、罠１００に対して子機２１が設置された後に、予め、管理用のパーソナルコンピュータ４７を利用して、サーバ３１の記憶装置３７の所定の記憶領域に、当該罠１００の識別情報（罠ＩＤ）及び当該子機２１の識別情報（子機ＩＤ）を１対１に対応づけて記憶させる。また、管理者は、管理用のパーソナルコンピュータ４７を利用して、サーバ３１に、当該子機２１から当該子機２１の位置情報（当該罠１００の位置情報）を入手させ、この入手した位置情報を当該罠１００の位置情報として当該罠ＩＤと対応づけてサーバ３１の記憶装置３７の所定の記憶領域に記憶させる。当該罠１００の使用者のユーザＩＤ及びこれに関連づけられた当該使用者のユーザ情報（例えば、住所、氏名、電話番号、メールアドレス等）が記憶装置３７に既に記憶されていれば、当該ユーザＩＤを当該罠ＩＤに対応づけその対応関係を記憶装置３７に記憶させる。当該罠１００の使用者のユーザＩＤ及びこれに関連づけられた当該使用者のユーザ情報が記憶装置３７に記憶されていなければ、当該使用者のユーザＩＤ及びこれに関連づけられた当該使用者のユーザ情報を記憶装置３７の所定の記憶領域に記憶させ、更に、当該ユーザＩＤを当該罠ＩＤに対応づけその対応関係を記憶装置３７に記憶させる。このようにして、記憶装置３７には、予めユーザに配布された前記個体識別標識１１に記録されている個体識別情報、及び、前記個体識別標識１１が予め配布された先のユーザに関する配布先ユーザ情報を、互いに関連づけて記憶する。なお、１つの罠１００の使用者は１人に限ってもよいし、２人以上を許容してもよい。
【００７３】
また、管理者は、予め、罠１００の使用者に個体識別標識１１を配布しておく。各個体識別標識１１は、ジビエにする一頭の野生動物１０１に付けられるもの毎に、それに記録されている個体識別情報が互いに異なっている。本実施の形態では、個体識別標識１１は、図４に示すように、帯状体の表面に個体識別情報を示す二次元バーコード１１ａ（本実施の形態では、ＱＲコード（登録商標））が複数印刷され、いくつかの二次元バーコード１１ａは、各二次元バーコード１１ａ毎に表面側を剥離してシールとして利用することができるようになっている。また、本実施の形態では、個体識別標識１１は、帯状体を罠１００に捕獲された野生動物１０１に巻き付けて、その両端付近間を剥離紙を剥離して接着させることによりその巻き付け状態が保持されるようになっている。図４では、図面表記の便宜上、個体識別標識１１は、野生動物１０１に対してルーズに巻き付けられているが、実際には、容易に外れないようにややタイトに巻き付けられる。なお、罠１００に捕獲された野生動物１０１を止め刺しした後に罠１００から取り出して、当該野生動物１０１に個体識別標識１１を付した状態を、模式的に示している。図４に示す例では、野生動物１０１はイノシシである。なお、個体識別情報１１は、野生動物１０１に付着し得るとともに記録されている個体識別情報が読み取れるものであれば、その携帯や識別情報の種別や識別情報を読み出せる部分の数（１個でも可）などは何ら限定されるものではない。
【００７４】
そして、管理者は、前述したように罠１００の使用者に個体識別標識１１を配布するに際して、管理用のパーソナルコンピュータ４７を利用して、当該使用者に配布した個体識別標識１１に記録されている個体識別情報を、当該使用者の使用者ＩＤと対応づけて、サーバ３１の記憶装置３７の所定の記憶領域に記憶させておく。
【００７５】
罠１００の使用者は、自分の携帯端末（例えば、携帯端末４１）で所定アプリケーションを立ち上げて、自分のユーザＩＤ及び必要に応じてパスワードを入力し、自分が使用者である罠１００のマッピング表示を指令すると、サーバ３１は、これに応答して、記憶装置３７に記憶されている前述した情報に基づいて、地図上において自分が使用する罠１００の位置にピンを立てかつそのピンの付近に対応する罠ＩＤを表示したものを、自分の携帯端末４１に表示させる。例えば、一旦捕獲検知情報が得られた後に、当該罠１００をリセットした旨の通知がサーバ３１へ送られるまでは、当該罠１００に対応するピンを点滅表示させ、そうでない場合には当該ピンを点滅させることなく固定的に表示させる。
【００７６】
サーバ３１は、子機２１の通信部２２から送信された前記捕獲検知情報を受け取って、記憶装置３７に記憶されている前述した情報に基づいて、当該子機２１が設けられている罠１００に野生動物１０１が捕獲されたと推認される旨のメールを当該罠１００の使用者のメールアドレスに送る配信装置３２として、機能する。このメールにおいて、所定アプリケーションを立ち上げを促す案内も記載されている。以下の説明では、当該使用者の前記メールアドレスの携帯端末が携帯端末４２であるものとする。
【００７７】
当該使用者が自分の携帯端末４２で前記所定アプリケーションを立ち上げると、携帯端末４２は、前記捕獲検知情報に係る罠ＩＤ及びそれに対応づけられた位置情報をサーバ３１から受け取る。このとき、必要に応じて、携帯端末４２は、自分のユーザＩＤも受け取る。そして、携帯端末４２は、例えば、「マッピング表示で動物が捕獲されているらしい罠ＩＤは○○、××の２つです。個体識別標識１１を携帯して、その罠へ行って捕獲されている野生動物１０１を回収してください。まず、マッピング表示してその罠の位置を確認してください。」という案内を表示する。これに応答して、当該使用者が携帯端末４２で「はい」の旨の操作をすると、携帯端末４２は、前述したマッピング表示し、所定時間経過後に「位置確認が終了しましたか？」の質問を表示する。これに応答して、当該使用者が携帯端末４２で「いいえ」の旨の操作をすると、携帯端末４２は、更に所定時間マッピング表示した後に「位置確認が終了しましたか？」の質問を表示する。その質問に応答して当該使用者が携帯端末４２で「はい」の旨の操作をすると、携帯端末４２は「罠ＩＤは○○、××のいずれかの罠に到着したら、所定アプリケーションを立ち上げて、罠に到着した旨の操作を行ってください」と表示した後、休止する。
【００７８】
当該使用者が当該罠１００の場所に到着すると、携帯端末４２で所定アプリケーションを立ち上げて、罠に到着した旨の操作を行う。その結果、携帯端末４２は、「到着した罠はどの罠ですか？  マッピング表示中の到着した罠のピンを押してください。」と案内表示した後にマッピング表示する。当該使用者が携帯端末４２が罠を選択する押圧操作すると、これに応じて携帯端末４２が「罠ＩＤ○○の罠に到着しましたね？」と質問を表示し、当該使用者が携帯端末４２で「はい」の旨の操作を行うと、携帯端末４２は「罠に、ジビエ対象の動物が捕獲されていますか？」と質問する。捕獲されていない場合は、当該罠１００に対して必要な処置（例えば、ジビエ対象でない動物が捕獲されている場合は当該動物を取り除く処置）を行い、当該使用者が携帯端末４２で当該罠１００がリセットされた旨の操作を行う。携帯端末４２は、これに応答して、当該携帯端末４２が基地局５１ａと通信可能であれば直ちに、当該携帯端末４２が基地局５１ａと通信不能であれば当該携帯端末４２が基地局５１ａと通信可能となったときに自動的に、携帯端末４２から当該罠１００をリセットした旨の通知がサーバ３１へ送る。
【００７９】
一方、当該罠１００にジビエ対象の動物が捕獲されていれば、「罠に、ジビエ対象の動物が捕獲されていますか？」と質問に対して、当該使用者は、携帯端末４２で「はい」の旨の操作を行う。すると、携帯端末４２は、「罠に捕獲されて状態の動物を撮影してください。その撮影は済みましたか？」と案内表示する。当該使用者は、携帯端末４２でその画像を撮る。このとき、携帯端末４２は、その画像情報（以下、「第１の画像情報」と呼ぶ。）に関連づけて、その撮影時刻情報、当該携帯端末４２が有しているＧＰＳ受信機による撮影位置情報も記憶させる。その第１の画像情報では、捕獲されている動物は、通常は生きているが、場合によっては死んでいる場合もある。
【００８０】
その後、当該使用者が携帯端末４２で前記撮影が済んだ旨の操作を行うと、携帯端末４２は、「止め刺ししてください。止め刺しは終了しましたか？」と案内表示する。当該使用者は、止め刺しをし、それが終了したら、携帯端末４２で止め刺しが終了した旨の操作を行う。これに応答して、携帯端末４２は、「個体識別標識を読み取って、その個体識別標識をつけてください。それらが終了しましたか？」と案内表示する。当該使用者は、携帯端末４２で個体識別標識１１（ここでは、例えば、ＱＲコード）を読み取って、その個体識別標識１１を前述したようにして当該野生動物１０１につける。ここで、携帯端末４２は、読み取った個体識別標識１１の個体識別情報を、有効化されるべき個体識別情報として、当該携帯端末４２が基地局５１ａと通信可能であれば直ちに、当該携帯端末４２が基地局５１ａと通信不能であれば当該携帯端末４２が基地局５１ａと通信可能となったときに自動的に、携帯端末４２からサーバ３１へ送る。このように、ここでの当該使用者の個体識別標識１１の読み取り操作に応じて、有効化されるべき個体識別情報がサーバ３１へ送られることになる。
【００８１】
その後、当該使用者が、携帯端末４２で、個体識別標識１１の読み取り及び当該個体識別標識１１の取り付けが終了した旨の操作をすると、携帯端末４２は、「今の状態の当該動物を撮影してください。その撮影は済みましたか？」と案内表示する。当該使用者は、携帯端末４２でその画像（止め刺し後の動物の画像）を撮る。このとき、携帯端末４２は、その画像情報（以下、「第２の画像情報」と呼ぶ。）に関連づけて、その撮影時刻情報、当該携帯端末４２が有しているＧＰＳ受信機による撮影位置情報も記憶させる。
【００８２】
その後、携帯端末４２は、前記第１の画像情報並びにこれに関連づけられた撮影時刻情報及び撮影位置情報、並びに、前記第２の画像情報並びにこれに関連づけられた撮影時刻情報及び撮影位置情報を、前記読み取った個体識別標識１１の個体識別情報と関連づけて、サーバ３１へ送る。このとき、携帯端末４２は、これらの情報を、当該携帯端末４２が基地局５１ａと通信可能であれば直ちに、当該携帯端末４２が基地局５１ａと通信不能であれば当該携帯端末４２が基地局５１ａと通信可能となったときに自動的に、携帯端末４２からサーバ３１へ送る。
【００８３】
その後、当該使用者は、当該罠１００に対してリセットするのに必要な処置を行い、当該使用者が携帯端末４２で当該罠１００がリセットされた旨の操作を行う。携帯端末４２は、これに応答して、当該携帯端末４２が基地局５１ａと通信可能であれば直ちに、当該携帯端末４２が基地局５１ａと通信不能であれば当該携帯端末４２が基地局５１ａと通信可能となったときに自動的に、携帯端末４２から当該罠１００をリセットした旨の通知がサーバ３１へ送る。
【００８４】
その後、当該使用者は、個体識別標識１１が付されたままの状態で当該野生動物１０１を回収し、前記野生動物に対して処理・加工を行う処理加工施設へ持ち込む。このとき、前記処理加工施設への搬入時における当該施設の入口及び前記野生動物１０１が撮影された第３の画像、並びに、前記第３の画像情報の撮影時刻情報及び撮影位置情報も、前記トレーサビリティ情報の一部として含むことが好ましい。
【００８５】
以上の当該罠１００に対する使用者及び携帯端末４２等の処理・動作は、野生動物１０１が捕獲されていると推認される他の罠１００についても同様である。
【００８６】
本実施の形態では、サーバ３１は、トレーサビリティ情報記憶部としても用いられる記憶装置３７を有し、前記個体識別標識１１に記録されている個体識別情報であって有効化された個体識別情報に関連づけて、当該野生動物１０１に由来するジビエのトレーサビリティ情報であって前記検知時刻を含むトレーサビリティ情報を前記トレーサビリティ情報記憶部に記憶させるトレーサビリティ情報管理装置としても、機能する。
【００８７】
サーバ３１は、前述したようにして携帯端末４２等から、有効化されるべき個体識別情報の通知が所定の有効許可条件を満たす場合にのみ、携帯端末４２等から通知されてきた個体識別情報を有効化する。前記有効許可条件は、例えば、前記通知には当該携帯端末４２等の使用者のユーザＩＤからの通知であることを示す情報を付加しておき、そのユーザＩＤが、記憶装置３７に個体識別標識１１の配布先ユーザＩＤのいずれかと一致することという条件を含んでもよい。また、前記有効許可条件は、例えば、当該個体識別情報が、記憶装置３７に配布された個体識別標識１１の個体識別情報として記憶されいる個体識別情報であり、かつ、未だ有効にされていない個体識別情報であるという条件を含んでもよい。もっとも、有効許可条件は必ずしも設けなくてもよい。
【００８８】
サーバ３１は、有効にされた前記個体識別情報に関連づけて記憶装置３７に記憶されている配布先ユーザ情報を、前記トレーサビリティ情報の一部としてもよい。
【００８９】
サーバ３１は、前述したようにして前記携帯端末４２等から送られて来た前記第１及び第２の画像情報等に関連づけられた、前記読み取った個体識別標識１１の個体識別情報が、有効化される場合には、前記第１の画像情報並びにこれに関連づけられた撮影時刻情報及び撮影位置情報、並びに、前記第２の画像情報並びにこれに関連づけられた撮影時刻情報及び撮影位置情報を、前記トレーサビリティ情報の一部としてもよい。
【００９０】
また、サーバ３１は、記憶装置３７に予め記憶された罠１００の位置を示す位置情報を、前記トレーサビリティ情報の一部としてもよい。その代わりに、子機２１から、その通信部２２を介して、前記捕獲検知情報と一緒に罠１００の位置情報（子機２１の位置情報）を取得することとし、その位置情報を、前記トレーサビリティ情報の一部としてもよい。
【００９１】
さらに、前記トレーサビリティ情報は、前記野生動物の血抜き終了の時刻情報及び／又は場所情報（例えば、場所が所定の処理加工施設あるあるいは野外の川であるなど）を含んでもよい。
【００９２】
処理加工施設では、例えば、血抜き処理、洗浄、剥皮、解体、洗浄・殺菌、食肉加工、真空包装などの工程を行う。例えば、処理加工施設の作業員が、携帯端末４３を用いて、各工程の様子をそれぞれ示す画像情報やそれぞれの処理内容や処理担当者などを、当該個体識別標識１１に関連づけて入力し、サーバ３１は、それらの入力が所定の入力許可条件を満たす場合にのみ、前記入力された情報を当該個体識別情報に関連づけて前記トレーサビリティ情報の一部として記憶装置３７に記憶させてもよい。前記所定の入力許可条件は、例えば、予め登録された入力者ＩＤ及びパスワードで入力されるという条件を含んでもよい。
【００９３】
なお、処理加工施設に持ち込まれる前に、移動式解体処理車において、内蔵摘出〜剥皮〜解体を行う場合がある。この場合には、例えば、移動式解体処理車の作業員が、携帯端末４４を用いて、移動式解体処理車を用いた処理が行われた旨、移動式解体処理車における各工程の様子をそれぞれ示す画像情報やそれぞれの処理内容や処理担当者などを、当該個体識別標識１１に関連づけて入力し、サーバ３１は、それらの入力が所定の入力許可条件を満たす場合にのみ、前記入力された情報を当該個体識別情報に関連づけて前記トレーサビリティ情報の一部として記憶装置３７に記憶させてもよい。
【００９４】
本実施の形態では、ユーザ端末としてのパーソナルコンピュータ４５及びプリンタ４６は、前記処理加工施設内に配置されている。前記トレーサビリティ情報が完成した最後の段階で、処理加工施設の作業員がパーソナルコンピュータ４５で、前記個体識別情報に関連づけられた前記トレーサビリティ情報を要求して、そのトレーサビリティ情報を受け取って確認したり、受け取ったトレーサビリティ情報に対応する個体識別情報を記録内容とする２次元バーコード等のコードをプリンタ４６でラベルに印刷し、そのラベルをジビエのパックに付着してもよい。この場合、例えば、消費者や外食産業への卸売業者が、トレーサビリティ情報取得用のアプリケーションプログラムを実行させた携帯端末（図示せず）で、前記ラベルのコードを読み取ると、当該携帯端末が、読み取られたコードが示す個体識別情報に関連づけられた前記トレーサビリティ情報の要求をサーバ３１に発し、その要求に対してサーバ３１から提供されてきたトレーサビリティ情報をユーザに表示するようにしてもよい。
【００９５】
また、受け取ったトレーサビリティ情報に対応する個体識別情報を記録内容とする２次元バーコード等のコードをプリンタ４６でラベルに印刷する代わりに、受け取ったトレーサビリティ情報自体を記録内容とする２次元バーコード等のコードをプリンタ４６でラベルに印刷し、そのラベルをジビエのパックに付着してもよい。この場合、例えば、消費者や外食産業への卸売業者が、トレーサビリティ情報取得用のアプリケーションプログラムを実行させた携帯端末（図示せず）で、前記ラベルのコードを読み取ると、当該携帯端末が、読み取られたコードが示すトレーサビリティ情報をユーザに表示するようにしてもよい。
【００９６】
なお、前記要求は、トレーサビリティ情報の管理者からの要求であってもよいし、ジビエの消費者からの要求であってもよいし、外食産業への卸売業者などから要求であってもよい。前記要求主体の種別によっては、互いに一部異なるトレーサビリティ情報を提供するようにしてもよい。例えば、止め刺しされた後の前記野生動物が撮影された画像は、管理者からの要求に対しては提供する一方で、消費者からの要求に対しては提供しなくてもよい。
【００９７】
本実施の形態によれば、前記第１乃至第１２の態様及び前記第１７及び第１８の態様に関して説明した利点が得られる。
【００９８】
なお、得られたトレーサビリティ情報に基づいて、当該ジビエの評価（ランク付け）等を行ってもよい。
【００９９】
以上、本発明の実施の形態について説明したが、本発明はこの実施の形態に限定されるものではない。
【０１００】
例えば、前記実施の形態は、前記第１乃至第１２の態様に相当するものあったが、本発明では、前記実施の形態において、子機２１及び親機５１ｂを取り除いて、前記第１３乃至第１７の態様に相当するように変形してもよい。
【０１０１】
また、前記実施の形態では、配信装置３２及びトレーサビリティ情報管理装置３３が同じサーバ３１で構成されているが、両者を別のサーバ等で構成してもよい。
【符号の説明】
【０１０２】
１  ジビエ用システム
１１  個体識別標識
２１  子機（罠用ユニット）
３１  サーバ（配信装置３２／トレーサビリティ情報管理装置３３）
５１ａ  親機
４１〜４４
１００  罠
１０１  野生動物
【図１】
2018088030.tif 000003
【図２】
2018088030.tif 000004
【図３】
2018088030.tif 000005
【図４】
2018088030.tif 000006